(57)【要約】【課題】内部の梱包物をしっかり押さえることができ、歩留まりの向上を図ると共に、形状の小型化を図ることができ、リサイクルが可能で経済的な梱包材を提供することを目的とする。【解決手段】  本発明の梱包材は、厚紙１を山折り線６，７，８，９に沿って折り曲げて組み立てることにより多角筒状に形成され、内部に梱包物を収納する梱包材１であって、山折り線６，９に対して交差するように形成される切り込み部１５ａ，１５ｂと、山折り線６，９を挟んでハの字を描くように切り込み部１５ａ，１５ｂの両端部１６ａ，１６ｂから直線状に形成される山折り可能部１７ａ，１７ｂと、を備え、山折り可能部１７ａ，１７ｂによって挟まれる山折り線６，９を谷折りすると、山折り可能部１７ａ，１７ｂに沿って山折りされ、内部の梱包物の移動を規制する係止凹部３２が山折り線６，９上に形成可能なように構成されていることを特徴とする。【選択図】図２
2013095492.tif 000002
【特許請求の範囲】
【請求項１】
厚紙を山折り線に沿って折り曲げて組み立てることにより多角筒状に形成され、内部に梱包物を収納する梱包材であって、
前記山折り線に対して交差するように形成される切り込み部と、前記山折り線を挟んでハの字を描くように前記切り込み部の両端部から直線状に形成される山折り可能部と、を備え、
前記山折り可能部によって挟まれる前記山折り線を谷折りすると、前記山折り可能部に沿って山折りされ、前記内部の梱包物の移動を規制する係止凹部が前記山折り線上に形成可能なように構成されていることを特徴とする梱包材。
【請求項２】
前記切り込み部は両開口端近傍に形成され、前記山折り可能部は前記切り込み部の両端部から前記開口端に掛けて形成されており、前記係止凹部が前記両開口端に形成可能なように構成されていることを特徴とする請求項１に記載の梱包材。
【請求項３】
前記切り込み部は互いに対向する位置に２個一対で形成され、前記山折り可能部は前記各切り込み部の両端部同士を結んだ直線上に形成されており、前記係止凹部が少なくとも３箇所に形成可能なように構成されている請求項２に記載の梱包材。
【請求項４】
前記切り込み部の両端部には刳り貫き孔が形成されていることを特徴とする請求項１〜３のいずれか１の請求項に記載の梱包材。
【発明の詳細な説明】
【技術分野】
【０００１】
本発明は、厚紙を山折り線に沿って折り曲げて組み立てることにより多角筒状に形成される、内部に梱包物を収納する梱包材に関する。
【背景技術】
【０００２】
一般に、画像形成装置のトナーカートリッジや定着装置のＩＨユニット等の製品の梱包材として段ボール等の厚紙製の梱包材が使用されている。この種の従来の梱包材としては、例えば、図３に示すように、矩形筒状に形成された箱型筒体１０１の開口部の四隅１０２に切り込み１０３を設け、四隅１０２を折り曲げるものが知られている。この梱包材は、箱型筒体１０１の開口部の四隅１０２に前記切り込み１０３が現れているので、その四隅の切り込み１０３から、その部分の各折り線が内側になるように、角部を押して折り曲げると、収納された商品などが、該箱型筒体の開口部から抜け出さないようにした商品係止部１０４が形成されるようになっている（例えば、特許文献１参照）。
【先行技術文献】
【特許文献】
【０００３】
【特許文献１】特開平２−１６６０４１号公報
【発明の概要】
【発明が解決しようとする課題】
【０００４】
しかしながら、上記した従来の梱包材では、商品係止部の折り曲げ深さを浅くすると、商品係止部を曖昧な形しか形成できないため、内部の梱包物をしっかり押さえることができないといった問題や、梱包作業中に外部から力が加わると、梱包材が破損したり、商品係止部の折り曲げ形状が崩れたりしやすく、歩留りが悪くなるという問題がある。
【０００５】
一方、商品係止部を全体的に深く折り曲げて形成した場合には、梱包材の外形寸法が大きくなり、梱包材の製造コストの低減化が図り難いといった問題や、搬送に手間が掛かるといった問題もある。
【０００６】
また、上記した従来の梱包材では、内部に収納する梱包物の形状や長さによって、梱包材の形状や長さをそのつど変更する必要があり、共通化を図ることができないため、リサイクルし難く、経済的でないという問題もある。
【０００７】
本発明は上記した課題を解決すべくなされたものであり、内部の梱包物をしっかり押さえることができ、歩留まりの向上を図ると共に、形状の小型化を図ることができ、リサイクルが可能で経済的な梱包材を提供することを目的とするものである。
【課題を解決するための手段】
【０００８】
上記した目的を達成するため、本発明の梱包材は、厚紙を山折り線に沿って折り曲げて組み立てることにより多角筒状に形成され、内部に梱包物を収納する梱包材であって、前記山折り線に対して交差するように形成される切り込み部と、前記山折り線を挟んでハの字を描くように前記切り込み部の両端部から直線状に形成される山折り可能部と、を備え、前記山折り可能部によって挟まれる前記山折り線を谷折りすると、前記山折り可能部に沿って山折りされ、前記内部の梱包物の移動を規制する係止凹部が前記山折り線上に形成可能なように構成されていることを特徴とする。
【０００９】
また、本発明の梱包材は、前記切り込み部は両開口端近傍に形成され、前記山折り可能部は前記切り込み部の両端部から前記開口端に掛けて形成されており、前記係止凹部が前記両開口端に形成可能なように構成されていることを特徴とする。
【００１０】
さらに、本発明の梱包材は、前記切り込み部は互いに対向する位置に２個一対で形成され、前記山折り可能部は前記各切り込み部の両端部同士を結んだ直線上に形成されており、前記係止凹部が少なくとも３箇所に形成可能なように構成されていることを特徴とする。
【００１１】
さらにまた、本発明の梱包材は、前記切り込み部の両端部には刳り貫き孔が形成されていることを特徴とする。
【発明の効果】
【００１２】
本発明によれば、内部の梱包物を係止凹部でしっかり押さえることができると共に、梱包材の歩留まりの向上及び梱包材の小型化を図ることができる。また、梱包材の共通化を図ることができ、リサイクルが可能となる等、種々の優れた効果を得ることができる。
【図面の簡単な説明】
【００１３】
【図１】本発明の実施形態に係る梱包材を展開した状態を示す展開図である。
【図２】本発明の実施形態に係る梱包材を組み立てた状態を示す斜視図である。
【図３】従来の梱包材を示す斜視図である。
【発明を実施するための形態】
【００１４】
以下、図面を参照しつつ、本発明の実施の形態について説明する。ここで、図１は本発明の実施形態に係る梱包材を展開した状態を示す展開図、図２は本発明の実施形態に係る梱包材を組み立てた状態を示す斜視図である。なお、以下の説明において、上下左右の向きは、便宜上、図１における向きを基準として説明する。
【００１５】
本発明の実施の形態に係る梱包材は、例えば段ボール製の厚紙１を矩形筒状に折り曲げて組み立てることにより、その内部に梱包物（図示省略）を収納可能なように構成されている。
【００１６】
図１に示すように、厚紙１は、上辺２、下辺３、左辺４、及び右辺５により外周を囲まれた略長方形状を成しており、上方から順に、上辺２及び下辺３に平行な４本の第１〜第４山折り線６，７，８，９が左辺４と右辺５との間に渡って形成されることにより、大きく第１〜第５横長片部１０，１１，１２，１３，１４の５つの部分に分けられている。
【００１７】
第１〜第４山折り線６，７，８，９は、上辺２と第１山折り線６との間の長さと、第２山折り線７と第３山折り線８との間の長さと、第４山折り線９と下辺３との間の長さと、が略等しくなるように形成されており、厚紙１を第１〜第４山折り線６，７，８，９に沿って折り曲げると、矩形筒状を成し、左辺４が一方の開口端を形成し、右辺５が他方の開口端を形成するようになっている。
【００１８】
左辺４の近傍には、第１山折り線６又は第４山折り線９に対して直角に交差するように長さの短い切り込み部１５ａがそれぞれ切欠されている。この切り込み部１５ａの両端部には小円形の刳り貫き孔１６ａがそれぞれ形成されており、各刳り貫き孔１６ａから左辺４に掛けて、山折り可能部１７ａ，１７ｂが、第１山折り線６又は第４山折り線９を上下に挟んでハの字を描くようにそれぞれ直線状に形成されている。そして、第４山折り線９を挟んで上方に形成された山折り可能部１７ａは、その左端が第３山折り線８の左端に一致するように形成されている。
【００１９】
左辺４の近傍と同様に、右辺５の近傍には、第１の山折り線６又は第４の山折り線９に対して直角に交差するように長さの短い切り込み部１５ａがそれぞれ切欠されており、この切り込み部１５ａの両端部に形成された小円形の刳り貫き孔１６ａから右辺５に掛けて、山折り可能部１７ａ，１７ｂが、第１山折り線６又は第４山折り線９を上下に挟んでハの字を描くようにそれぞれ直線状に形成されている。そして、第４山折り線９を挟んで上方に形成された山折り可能部１７ａは、その右端が第３山折り線８の右端に一致するように形成されている。
【００２０】
左辺４の近傍の切り込み部１５ａと右辺５の近傍の切り込み部１５ａとの間には、第１山折り線６に対して直角に交差する位置であって、互いに対向する２箇所の位置に、長さの短い切り込み部１５ａと該切り込み部１５ａより長さの長い切り込み部１５ｂとがそれぞれ２個一対で形成されている。長さの短い切り込み部１５ａの両端部には小円形の刳り貫き孔１６ａがそれぞれ形成されており、長さの長い切り込み部１５ｂの両端部には、前記刳り貫き孔１６ａより大径の円形の刳り貫き孔１６ｂがそれぞれ形成されている。そして、各刳り貫き孔１６ａと１６ｂとを結んだ直線上には、第１山折り線６を挟んで上下に、ハの字を描くように傾斜して山折り可能部１７ａ，１７ｂがそれぞれ形成されている。
【００２１】
また、第４山折り線９上には、左辺４の近傍の切り込み部１５ａと右辺５の近傍の切り込み部１５ａとの間に係止片１８が形成されている。係止片１８は、第４山折り線９に対して直角に交差するように形成された互いに対向する左右の切り込み縦線１９ａ，１９ｂと、左右の切り込み縦線１９ａ，１９ｂの下端同士を結ぶように形成された切り込み横線１９ｃと、によりＵ字形に形成されており、切り込み横線１９ｃの下方には横長孔２０が形成されている。また、係止片１８には第４山折り線９の延長線上に沿って山折り線２１が形成されており、該山折り線２１の中央に円形の指掛け孔２２が穿設されている。さらに、係止片１８と第４山折り線９との間には、第４山折り線９から僅かに下方に突出するように切り込み２３が形成されている。そして、厚紙１を第４山折り線９に沿って山折りすると、この切り込み２３により、第４山折り線９と係止片１８との間にスリット状の係止孔（図示省略）が形成されるようになっている。
【００２２】
上辺２の前記切り込み２３に対応する位置には、上方に突出する突片部２４が横長矩形状に形成されており、突片部２４には、上辺２の延長線上に沿って左右に山折り線２５ａ，２５ｂが形成されている。左右の山折り線２５ａ，２５ｂの間には、係止片１８の指掛け孔２２に対応する位置に、円形の指掛け孔２６が穿設されており、この指掛け孔２６と左右の山折り線２５ａ，２５ｂとの間には、上辺２から僅かに上方に突出するように切り込み２７が形成されている。そして、突片部２４を左右の山折り線２５ａ，２５ｂに沿って山折りすると、この切り込み２７により、左右の山折り線２５ａ，２５ｂと指掛け孔２６との間にスリット状の係止孔（図示省略）が形成されるようになっている。
【００２３】
下辺３と左辺４との角部には左切欠部２８が形成され、下辺３と右辺５との角部には右切欠部２９が形成され、左切欠部２８及び右切欠部２９には、それぞれ、斜め切欠線２８ａ及び２９ａが形成されている。左切欠部２８の斜め切欠線２８ａは、左辺４側の第１山折り線６の上方に形成された山折り可能部１７ａに対応するように形成され、右切欠部２９の斜め切欠線２９ａは、右辺５側の第１山折り線６の上方に形成された山折り可能部１７ａに対応するように形成されている。
【００２４】
また、下辺３の左切欠部２８と右切欠部２９との間には、左右２個の矩形切欠部３０，３１が形成されており、各矩形切欠部３０，３１には、それぞれ、互いに対向する２本の縦切欠線３０ａ，３０ｂ及び３１ａ及び３１ｂが、左辺４の近傍の切り込み部１５ａと右辺５の近傍の切り込み部１５ａとの間に形成された短い切り込み部１５ａと長い切り込み部１５ｂにそれぞれ対応するように形成されている。
【００２５】
このような構成を備えた厚紙１から本発明の実施に係る梱包材を組み立てるには、第１横長片部１０を第５横長片部１４に重ね合わせるように、厚紙１を第１〜第４山折り線６，７，８，９に沿って山折りする。そして、厚紙１を第４山折り線９に沿って山折りすることにより形成された第４山折り線９と係止片１８との間の前記係止孔（図示省略）に、左右の山折り線２５ａ，２５ｂに沿って山折りさせた突片部２４を挿入すると共に、突片部１４を左右の山折り線２５ａ，２５ｂに沿って山折りすることにより形成された左右の山折り線２５ａ，２５ｂと指掛け孔２６との間の前記係止孔（図示省略）に、山折り線２１に沿って山折りさせた係止片１８を挿入する。これにより、厚紙１の第１横長片部１０が第５横長片部１４に重合して矩形筒状に折り曲げられた状態が確実に保持される。なお、この時、係止片１８及び突片部２４には互いに対応した位置にそれぞれ指掛け孔２２，２６が形成されているため、この指掛け孔２２，２６に指を引っ掛けることにより、梱包材の組立て作業を円滑且つ容易に行うことができる。
【００２６】
次に、このように厚紙１から矩形筒状の梱包材を組み立てた後、梱包材の内部に前記梱包物（図示省略）を収納し、該梱包物の形状や長さに合わせて、山折り可能部１７ａ，１７ｂによって挟まれる第１山折り線６又は第４山折り線９を谷折りすると、前記山折り可能部１７ａ，１７ｂに沿って山折りされ、梱包材の内部の梱包物の移動を規制する係止凹部３２が第１山折り線６又は第４山折り線９に沿って形成される。
【００２７】
例えば、前記梱包物の長さが比較的長い場合、左辺４の近傍の山折り可能部１７ａ，１７ｂによって挟まれる第１山折り線６又は第４山折り線９を谷折りし、係止凹部３２を前記一方の開口端に形成させると共に、右辺５の近傍の山折り可能部１７ａ，１７ｂによって挟まれる第１山折り線６又は第４山折り線９を谷折りし、係止凹部３２を前記他方の開口端に形成させる。これにより、両係止凹部３２が前記梱包物の両端部又は該梱包物の凹部に係止し、梱包材の内部における該梱包物の移動を規制することができる。
【００２８】
この時、左切欠部２８の斜め切欠線２８ａが左辺４側の第１山折り線６の上方に形成された山折り可能部１７ａに対応するように形成され、右切欠部２９の斜め切欠線２９ａが右辺５側の第１山折り線６の上方に形成された山折り可能部１７ａに対応するように形成されているため、左辺４側及び右辺５側の第１山折り線６の上方に形成された山折り可能部１７ａが山折りされた状態はしっかり保持される。
【００２９】
さらに、この時、左辺４の近傍の第４山折り線９を挟んで上方に形成された山折り可能部１７ａはその左端が第３山折り線８の左端に一致するように形成され、右辺５の近傍の第４山折り線９を挟んで上方に形成された山折り可能部１７ａはその右端が第３山折り線８の右端に一致するように形成されているため、左辺４側及び右辺５側の第４山折り線６の上方に形成された山折り可能部１７ａが山折りされた状態はしっかり保持される。
【００３０】
また、例えば、前記梱包物の長さが比較的短い場合には、左辺４の近傍の山折り可能部１７ａ，１７ｂと右辺５の近傍の山折り可能部１７ａ，１７ｂの間の山折り可能部１７ａ，１７ｂによって挟まれる第１山折り線６を谷折りし、中央側で一方又は両方の係止凹部３２を形成させることもできる。この場合、矩形切欠部３０，３１の縦切欠線３０ａ，３０ｂ及び３１ａ、３１ｂが、左辺４の近傍の切り込み部１５ａと右辺５の近傍の切り込み部１５ａとの間に形成された短い切り込み部１５ａと長い切り込み部１５ｂにそれぞれ対応するように形成されているため、前記山折り可能部１７ａの山折りされた状態はしっかり保持される。
【００３１】
このように上記した本発明の実施の形態に係る梱包材によれば、山折り可能部１７ａ，１７ｂを第１山折り線６又は第４山折り線９を挟んでハの字を描くように傾斜させることにより、係止凹部３２の折り曲げ深さを深くすることなく、内部の梱包物をしっかり押さえることができる。また、例え梱包作業中に外部から力が加わったとしても、梱包材が破損したり、係止凹部３２の折り曲げ形状が崩れたりし難く、歩留りを高めることができる。さらに、梱包材の外形寸法を小さくすることができ、梱包材の製造コストの低減化を図ることができる。
【００３２】
また、係止凹部３２を両端側だけでなく中央側にも形成することにより、内部に収納する梱包物の形状や長さによって、梱包材の形状や長さをそのつど変更する必要がないため、梱包材の共通化を図ることができ、リサイクルが可能となる。さらに、複数個に分割された梱包物を一つの梱包材に一度に収納することもでき、搬送コストの低減化を図ることもできる。
【００３３】
さらに、切り込み部１５ａ，１５ｂの両端部に刳り貫き孔１６ａ，１６ｂを設けることにより、係止凹部３２の折り曲げ作業をよりスムーズ且つ確実に行うことができるようになる。
【００３４】
なお、上記した本発明の実施の形態の説明は、本発明に係る梱包材における好適な実施の形態を説明しているため、梱包材の形状や、係止凹部３２の個数、設置位置等において、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３５】
１  厚紙
６，７，８，９  山折り線
１５ａ，１５ｂ  切り込み部
１６ａ，１６ｂ  両端部
１７ａ，１７ｂ  山折り可能部
３２  係止凹部
【図１】
2013095492.tif 000003
【図２】
2013095492.tif 000004
【図３】
2013095492.tif 000005